(57)【要約】【課題】自然な余韻を得ることができ、楽器等の演奏の妨げとならない電子式メトロノームを提供する。【解決手段】弱拍時にはクリック音（テンポ音）のみが再生され、強拍時にはチャイム音（拍子音）とクリック音（テンポ音）の２種類の音の波形をミックスされ再生・出力されるので、強拍時においても、自然な余韻を得ることができ、電子式メトロノーム特有の不自然さをなくすことができる。また、チャイム音及びクリック音は特定のピッチを有する音では無いので、楽器の演奏時に妨げとならないような音によってテンポをユーザに知らせることができる。【選択図】図１
2007205824.tif 000002
【特許請求の範囲】
【請求項１】
所定のテンポで往復運動を行う振り子部と、
前記振り子部の前記往復運動を感知し、前記振り子部の往復運動周期に同期した同期信号を出力するセンサと、
異なる複数の拍子音と、異なる複数のテンポ音とを記憶する複数の波形メモリと、
複数の拍子音及び複数のテンポ音のうち、いずれの拍子音及びテンポ音を選択するかを決定し切り替える音色切り替え部と、
前記複数の波形メモリに記憶された拍子音の波形信号とテンポ音の波形信号とをミックスして混合音の波形信号を出力するミキシング部と、
前記センサの出力した前記同期信号と同期させて波形信号を再生し、音として出力する出力部と、
制御部と、
を有する
電子式メトロノーム。
【請求項２】
前記制御部は、弱拍の再生時には前記音色切り替え部が決定したテンポ音を対応する前記波形メモリから読み出して前記出力部に再生・出力させ、強拍の再生時には前記音色切り替え部が決定した拍子音及びテンポ音を対応する前記波形メモリから読み出して前記ミキシング部にミキシングさせた後出力部に再生・出力させる
請求項１に記載の電子式メトロノーム。
【請求項３】
前記振り子部は、さらに調速錘を有し、
前記調速錘は、前記振り子部上で上下に動かし固定することができ、固定する位置によって前記振り子部の往復運動のテンポを調整する
請求項１または２に記載の電子式メトロノーム。
【請求項４】
前記波形メモリは、新たな拍子音及びテンポ音を録音し上書きして記憶することができる
請求項１から３のいずれか一項に記載の電子式メトロノーム。
【発明の詳細な説明】
【技術分野】
【０００１】
本発明は、振り子の周期をセンサによって読み取り音を発生する電子式メトロノームに関する。
【背景技術】
【０００２】
メトロノームには、機械式のものと電子式のものがある。機械式のメトロノームは、振り子の振動に合わせて特定のテンポの音を発生する。機械式メトロノームでは。メトロノームを構成する各部品を精度よく製造し組み合わせる必要があり、格別の製造技術が必要であり、製造上や保守時の困難があった。
この機械式メトロノームの製造上の困難を解消するものとして、電子式メトロノームや、特許文献１に開示された無接触型メトロノームがある。電子式メトロノームはクォーツ等の振動子の振動から同期信号を取り出し、同期信号に合わせて波形メモリに記憶された波形の電子音を再生する。また、特許文献１に記載された無接触型メトロノームは、振り子に無接触式のセンサを設置することによって、機械式メトロノームにおける磨耗等による構成部材の精度低下や、製造上の困難を解消している。
【特許文献１】特公平８−１４７２号公報
【発明の開示】
【発明が解決しようとする課題】
【０００３】
しかし、上述した電子メトロノームの再生する音は単調なパルス音であり、チャイム音の余韻が無く、不自然に聞こえるという不利益があった。また、特定のピッチ（音程）を持った音であり、楽器等の演奏時に妨げとなる、という不利益があった。また、この不利益は、特許文献１に記載された無接触型メトロノームにおいても、解消されない。
本発明は、上述した不利益を解消して、自然な余韻を得ることができ、楽器等の演奏の妨げとならない電子式メトロノームを提供することを目的とする。
【課題を解決するための手段】
【０００４】
上述した目的を達成するために、本発明のメトロノームは、所定のテンポで往復運動を行う振り子部と、前記振り子部の前記往復運動を感知し、前記振り子部の往復運動周期に同期した同期信号を出力するセンサと、異なる複数の拍子音と、異なる複数のテンポ音とを記憶する複数の波形メモリと、複数の拍子音及び複数のテンポ音のうち、いずれの拍子音及びテンポ音を選択するかを決定し切り替える音色切り替え部と、前記複数の波形メモリに記憶された拍子音の波形信号とテンポ音の波形信号とをミックスして混合音の波形信号を出力するミキシング部と、前記センサの出力した前記同期信号と同期させて波形信号を再生し、音として出力する出力部と、制御部と、を有する。
【０００５】
好適には、前記制御部は、弱拍の再生時には前記音色切り替え部が決定したテンポ音を対応する前記波形メモリから読み出して前記出力部に再生・出力させ、強拍の再生時には前記音色切り替え部が決定した拍子音及びテンポ音を対応する前記波形メモリから読み出して前記ミキシング部にミキシングさせた後出力部に再生・出力させる。
【０００６】
好適には、前記振り子部は、さらに調速錘を有し、前記調速錘は、前記振り子部上で上下に動かし固定することができ、固定する位置によって前記振り子部の往復運動のテンポを調整する。
【０００７】
好適には、前記波形メモリは、新たな拍子音及びテンポ音を録音し上書きして記憶することができる。
【発明の効果】
【０００８】
本発明によれば、自然な余韻を得ることができ、楽器等の演奏の妨げとならない電子式メトロノームを提供することができる。
【発明を実施するための最良の形態】
【０００９】
以下、本発明の実施形態について説明する。
図１は、本実施形態の電子式メトロノーム１００のブロック図である。
図１に示すように、電子式メトロノーム１００は、フォトセンサ１、振り子部２、拍子切り替え部３、音色切り替え部４、制御部５、波形メモリ６１〜６４、ミキシング部７、出力部８を有する。
【００１０】
フォトセンサ１は、図２に示すように、振り子部２の有する反射板２２が往復運動しそれぞれの前をよぎることによって光が反射したことを検出し、これによって振り子部２の往復運動に同期したセンサ出力を得るために、フォトセンサ右１Ｒとフォトセンサ左１Ｌとを有する。
振り子部２は、図２に示すように調速錘２１及び反射板２２を有し、図２に示すＺ点を支点として左右に往復運動を行う。往復運動の動力は、例えば振り子部２に取り付けた永久磁石による反発や、電池によるモータの回転等によることができるが、本実施形態では限定しない。また、調速錘２１を振り子部２上で上下させることにより、後述する出力部８が再生し出力する音のテンポを変化させることができる。
【００１１】
拍子切り替え部３は、再生する音の拍子を選択し、決定する。拍子切り替え部３で選択できる拍子は、本実施形態では、例えば、０拍子、２拍子、３拍子、４拍子、５拍子、６拍子の６種類であるとする。
０拍子は、テンポ音のみを再生する設定である。
２拍子は、２回のテンポ音再生ごとに１回の拍子音を再生する設定である。
３拍子は、３回のテンポ音再生ごとに１回の拍子音を再生する設定である。
４拍子は、４回のテンポ音再生ごとに１回の拍子音を再生する設定である。
５拍子は、５回のテンポ音再生ごとに１回の拍子音を再生する設定である。
６拍子は、６回のテンポ音再生ごとに１回の拍子音を再生する設定である。
なお、本実施形態では、上述したテンポ音にクリック音を、拍子音にチャイム音を使用するとする。
図３に一例として、３拍子の場合のチャイム音及びクリック音のタイミングチャートを示す。
すなわち、図３に示すように、３拍子の場合、チャイム音（拍子音）が再生されてから３回目のクリック音と同時に次のチャイム音が再生される。すなわち、Ｎ拍子の場合はチャイム音の再生後Ｎ回目のクリック音と同時に次のチャイム音が再生されるようになっている（Ｎは２、３、４、５、６のいずれか）。
【００１２】
また、拍子切り替え部３は拍子をカウントする。カウントする方法については後の動作例で説明する。
【００１３】
音色切り替え部４は、再生する音の音色を選択し、決定する。本実施形態では、例えば、音色Ａと音色Ｂの２種類の音色を選択できるとする。
制御部５は、電子式メトロノーム１００の統括的な制御を行う。
波形メモリ６１〜６４は、それぞれ１音の波形を記憶している。本実施形態では、１つの音色につき２種類の音（チャイム音及びクリック音）があるとし、音色Ａ及び音色Ｂの２種類の音色が記憶されている場合について説明する。すなわち、波形メモリ６１には、チャイム音Ａ、波形メモリ６２には、クリック音Ａ、波形メモリ６３にはチャイム音Ｂ、波形メモリ６４にはクリック音Ｂが記憶されているとする。
【００１４】
ミキシング部７は、制御部５の制御に従って、音色Ａ或いは音色Ｂのチャイム音とクリック音とをミックスする。すなわち、波形メモリ６１〜６４から各音の波形を読み出し、制御部５の制御に従って、チャイム音Ａとクリック音Ａの波形、或いはチャイム音Ｂとクリック音Ｂの波形を読み出し、ミックスする。
出力部８は、波形メモリから読み出された波形を音として再生する。
【００１５】
次に、本実施形態の電子式メトロノーム１００の動作例について説明する。
図４及び図５は、電子式メトロノーム１００の動作例を説明するためのフローチャートである。
【００１６】
ステップＳＴ１:
拍子切り替え部３は、拍子設定を読み取り、制御部５に出力する。また、拍子切り替え部３は、拍子カウンタをセットする。すなわち、Ｘ拍子の設定であるときに拍子切り替え部は拍子カウンタを“Ｘ”にする。
ステップＳＴ２：
振り子部２が往復運動を開始して反射板２２がフォトセンサ１をよぎり、センサが入力を感知した場合はステップＳＴ３に進み、入力を感知しなかった場合はステップＳＴ２を繰り返す。
【００１７】
ステップＳＴ３：
ステップＳＴ２において入力を感知したセンサがフォトセンサ右１Ｒだった場合はステップＳＴ４に、フォトセンサ左１Ｌだった場合はステップＳＴ５に進む。
ステップＳＴ４：
フォトセンサ右１Ｒは、振り子部２の振れた方向を示す左右フラグを“０”にする。左右フラグ“０”は振り子部２が右側に振れたことを意味する。
【００１８】
ステップＳＴ５：
フォトセンサ左１Ｌは、振り子部２の振れた方向を示す左右フラグを“１”にする。左右フラグ“１”は振り子部２が左側に振れたことを意味する。
ステップＳＴ６：
拍子切り替え部３の拍子設定が０拍子以外であった場合はステップＳＴ７に進み、０拍子であった場合はステップＳＴ１５に進む。
【００１９】
ステップＳＴ７：
拍子切り替え部３は、現在の拍子カウンタから−１する。これにより、１拍分の音が再生されたことになる。
ステップＳＴ８：
音色切り替え部４の音色設定が音色Ａであった場合はステップＳＴ９に、音色Ｂであった場合はステップＳＴ１２に進む。
【００２０】
ステップＳＴ９:
制御部５は、波形メモリ６１からチャイム音Ａの波形を、波形メモリ６２からクリック音Ａの波形を読み出す。
ステップＳＴ１０：
ミキシング部７は、ステップＳＴ９において読み出されたチャイム音Ａの波形と、クリック音Ａの波形をミックスする。
【００２１】
ステップＳＴ１１：
出力部８は、ステップＳＴ１０においてミキシング部７がミックスした波形を音として再生し出力する。
ステップＳＴ１２：
制御部５は、波形メモリ６３からチャイム音Ｂの波形を、波形メモリ６４からクリック音Ｂの波形を読み出す。
【００２２】
ステップＳＴ１３：
ミキシング部７は、ステップＳＴ１２において読み出されたチャイム音Ｂの波形と、クリック音Ｂの波形をミックスする。
ステップＳＴ１４：
出力部８は、ステップＳＴ１３においてミキシング部７がミックスした波形を音として再生し出力する。
【００２３】
ステップＳＴ１５：
音色切り替え部４の音色設定が音色Ａであった場合はステップＳＴ１６に、音色Ｂであった場合はステップＳＴ１８に進む。
ステップＳＴ１６：
制御部５は、波形メモリ６２からクリック音Ａの波形を読み出す。
【００２４】
ステップＳＴ１７：
出力部８は、ステップＳＴ１６において制御部５が読み出したクリック音Ａを再生し出力する。
ステップＳＴ１８：
制御部５は、波形メモリ６４からクリック音Ｂの波形を読み出す。
【００２５】
ステップＳＴ１９：
出力部８は、ステップＳＴ１８において制御部５が読み出したクリック音Ｂを再生し出力する。
ステップＳＴ２０：
拍子切り替え部３において拍子設定の切り替えがあった場合はステップＳＴ１に戻り、無かった場合はステップＳＴ２１に進む。
【００２６】
ステップＳＴ２１：
制御部５は、左右フラグが“１”、すなわち振り子部２が直前に振れたのが左であった場合にはステップＳＴ２２に進み、左右フラグが“０”であった場合にはステップＳＴ２４に進む。
ステップＳＴ２２：
フォトセンサ右１Ｒは、入力があった場合はステップＳＴ２３に進み、無かった場合はステップＳＴ２０に戻る。
【００２７】
ステップＳＴ２３：
フォトセンサ右１Ｒは、振り子部２の振れた方向を示す左右フラグを“０”にする。左右フラグ“０”は振り子部２が右側に振れたことを意味する。
【００２８】
ステップＳＴ２４：
フォトセンサ左１Ｌは、入力があった場合はステップＳＴ２５に進み、無かった場合はステップＳＴ２０に戻る。
ステップＳＴ２５：
フォトセンサ左１Ｌは、振り子部２の振れた方向を示す左右フラグを“１”にする。左右フラグ“１”は振り子部２が左側に振れたことを意味する。
【００２９】
ステップＳＴ２６：
拍子切り替え部３の拍子設定が０拍子以外であった場合はステップＳＴ２７に進み、０拍子であった場合はステップＳＴ３７に進む。
ステップＳＴ２７：
拍子切り替え部３は、現在の拍子カウンタから−１する。
【００３０】
ステップＳＴ２８：
拍子切り替え部３は、拍子カウンタが０であるか否かを判断し、０であった場合はステップＳＴ２９に進み、０で無かった場合はステップＳＴ３７に進む。
ステップＳＴ２９：
拍子切り替え部３は、新たにカウンタをセットする。すなわち、カウンタを“Ｘ”に戻す。
【００３１】
ステップＳＴ３０：
音色切り替え部４の音色設定が音色Ａであった場合はステップＳＴ３１に、音色Ｂであった場合はステップＳＴ３４に進む。
ステップＳＴ３１:
制御部５は、波形メモリ６１からチャイム音Ａの波形を、波形メモリ６２からクリック音Ａの波形を読み出す。
【００３２】
ステップＳＴ３２：
ミキシング部７は、ステップＳＴ３１において読み出されたチャイム音Ａの波形と、クリック音Ａの波形をミックスする。
ステップＳＴ３３：
出力部８は、ステップＳＴ３２においてミキシング部７がミックスした波形を音として再生し出力する。
【００３３】
ステップＳＴ３４：
制御部５は、波形メモリ６３からチャイム音Ｂの波形を、波形メモリ６４からクリック音Ｂの波形を読み出す。
ステップＳＴ３５：
ミキシング部７は、ステップＳＴ３４において読み出されたチャイム音Ｂの波形と、クリック音Ｂの波形をミックスする。
【００３４】
ステップＳＴ３６：
出力部８は、ステップＳＴ３５においてミキシング部７がミックスした波形を音として再生し出力する。
ステップＳＴ３７：
音色切り替え部４の音色設定が音色Ａであった場合はステップＳＴ３８に、音色Ｂであった場合はステップＳＴ４０に進む。
【００３５】
ステップＳＴ３８：
制御部５は、波形メモリ６２からクリック音Ａの波形を読み出す。
ステップＳＴ３９：
出力部８は、ステップＳＴ３８において制御部５が読み出したクリック音Ａを再生し出力する。
【００３６】
ステップＳＴ４０：
制御部５は、波形メモリ６４からクリック音Ｂの波形を読み出す。
ステップＳＴ４１：
出力部８は、ステップＳＴ４０において制御部５が読み出したクリック音Ｂを再生し出力する。
【００３７】
以上説明したように、本実施形態の電子式メトロノーム１００によれば、弱拍時にはクリック音（テンポ音）のみが再生され、強拍時にはチャイム音（拍子音）とクリック音（テンポ音）の２種類の音の波形がミックスされ再生・出力されるので、強拍時においても、自然な余韻を得ることができ、電子式メトロノーム特有の不自然さをなくすことができる。また、チャイム音及びクリック音は特定のピッチを有する音では無いので、楽器の演奏時に妨げとならないような音によってテンポをユーザに知らせることができる。
【００３８】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００３９】
本実施形態の電子式メトロノーム１００は、２種類の音色を有し、またそれぞれの音色についてチャイム音及びクリック音を有していたが、本発明はこれには限定されない。すなわち、例えば、波形メモリ６１にチャイム音の波形が、波形メモリ６２にクリック音の波形が予め記憶され、波形メモリ６３及び６４には、ユーザが自由な音色の波形を記憶させられるようにしてもよい。この場合、図示しないマイク等からユーザの好きな音色を録音すれば、上記実施形態のチャイム音及びクリック音の代わりにユーザの好きな音色を再生・出力させることができる。これによって、チャイム音及びクリック音以外の音を利用したいユーザに好きな音色でテンポを知らせることができる。
本実施形態の図４及び図５で説明した動作例における左右の検出方法（左右フラグ）や拍子のカウント方法（拍子カウンタ）は一例であり、本発明はこれには限定されない。
【図面の簡単な説明】
【００４０】
【図１】図１は、本実施形態の電子式メトロノーム１００のブロック図である。
【図２】図２は、フォトセンサ１と振り子部２の構成例を示す図である。
【図３】図３は、３拍子の場合の拍子音及びテンポ音のタイミングチャートを示す図である。
【図４】図４は、電子式メトロノーム１００の動作例を説明するためのフローチャートである。
【図５】図５は、電子式メトロノーム１００の動作例を説明するためのフローチャートである。
【符号の説明】
【００４１】
１００…電子式メトロノーム、１…フォトセンサ、２…振り子部、２１…調速錘、２２…反射板、３…拍子切り替え部、４…音色切り替え部、５…制御部、６１，６２，６３，６４…波形メモリ、７…ミキシング部、８…出力部
【図１】
2007205824.tif 000003
【図２】
2007205824.tif 000004
【図３】
2007205824.tif 000005
【図４】
2007205824.tif 000006
【図５】
2007205824.tif 000007